(57)【要約】【課題】ワークとプレートとを離間させるときに、シールゴムがプレートから剥がれてしまうことを防止する。【解決手段】溝が形成され、ワークの開口部を閉塞するプレートと、前記プレートの前記溝に嵌合し、前記プレートが前記開口部を閉塞したときに、前記開口部の周縁部に圧接するシールゴムと、を備え、前記プレートによって密閉された前記ワークの内部に流体を供給し、前記ワークの内部からの前記流体の漏れを検知するリーク試験装置であって、前記プレートには、前記溝に連通した吸気通路が形成され、前記吸気通路と接続され、前記ワークと前記プレートとを離間させるときに前記吸気通路内の気体を吸引する吸引装置を備える。【選択図】図１
2019100893.tif 000002
【特許請求の範囲】
【請求項１】
溝が形成され、ワークの開口部を閉塞するプレートと、前記プレートの前記溝に嵌合し、前記プレートが前記開口部を閉塞したときに、前記開口部の周縁部に圧接するシールゴムと、を備え、前記プレートによって密閉された前記ワークの内部に流体を供給し、前記ワークの内部からの前記流体の漏れを検知するリーク試験装置であって、
前記プレートには、前記溝に連通した吸気通路が形成され、
前記吸気通路と接続され、前記ワークと前記プレートとを離間させるときに前記吸気通路内の気体を吸引する吸引装置を備える、リーク試験装置。
【発明の詳細な説明】
【技術分野】
【０００１】
本発明は、リーク試験装置に関する。
【背景技術】
【０００２】
リーク試験装置は、ワークの開口部をプレートで圧接して密閉し（クランプし）、密閉されたワークの内部に流体を供給し、ワークの内部からの流体の漏れを検知することによって、ワークのシール性を検査する装置である。リーク試験装置は、例えば、自動車工場のエンジンの製造ラインにて、シリンダブロックのシール性を検査する場合にも用いられている。
【０００３】
例えば、特許文献１のリーク試験装置では、プレートの表面に設けられた溝にシールゴムを埋め込み、当該シールゴムをワークの開口部の周縁部に密着させ、ワークの内部を密閉している。
【先行技術文献】
【特許文献】
【０００４】
【特許文献１】特開２０１５−１７５７４０号公報
【発明の概要】
【発明が解決しようとする課題】
【０００５】
リーク試験終了後、ワークをプレートから離間させる（アンクランプする）が、この時に、シールゴムがワークに貼り付き、プレートから剥がれてしまう場合がある。シールゴムが剥がれてしまうと、次にリーク試験を行うときに、シールゴムがプレートとワークとの間で潰されて破損したり、ワークの内部を十分に密閉できずに、正しい検査結果が得られないおそれがある。
【０００６】
そこで、本明細書開示のリーク試験装置は、ワークとプレートとを離間させるときに、シールゴムがプレートから剥がれてしまうことを防止することを課題とする。
【課題を解決するための手段】
【０００７】
かかる課題を解決するために、本明細書に開示されたリーク試験装置は、溝を有し、ワークの開口部を閉塞するプレートと、前記プレートの前記溝に嵌合し、前記プレートが前記開口部を閉塞したときに、前記開口部の周縁部に圧接するシールゴムと、を備え、前記プレートによって密閉された前記ワークの内部に流体を供給し、前記ワークの内部からの前記流体の漏れを検知するリーク試験装置であって、前記プレートには、前記溝に連通した吸気通路が形成され、前記吸気通路と接続され、前記ワークと前記プレートとを離間させるときに前記吸気通路内の気体を吸引する吸引装置を備える。
【発明の効果】
【０００８】
本明細書開示のリーク試験装置によれば、ワークとプレートとを離間させるときに、シールゴムがプレートから剥がれてしまうことを防止することができる。
【図面の簡単な説明】
【０００９】
【図１】図１（ａ）は、実施形態に係るリーク試験装置の構成を示す断面図であり、図１（ｂ）は、図１（ａ）のＡ−Ａ線の断面図である。
【図２】図２（ａ）は、リーク試験装置が備えるプレートの構成を示す平面図であり、図２（ｂ）は、シールゴムを取り外したプレートの平面図であり、図２（ｃ）は、シールゴムを取り外したプレートの別例の平面図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては細部が省略されて描かれている場合もある。
【００１１】
図１（ａ）および図１（ｂ）並びに図２（ａ）〜図２（ｃ）を参照し、一実施形態に係るリーク試験装置１００について説明する。
【００１２】
図１（ａ）および図１（ｂ）に示すように、リーク試験装置１００は、プレート１０と、シールゴム１２と、リークセンサ２１と、供給装置２２と、吸引装置２３と、を備える。
【００１３】
リーク試験装置１００は、ワークＷの開口部をプレート１０で閉塞して密閉し、密閉されたワークＷの内部に供給装置２２によって流体を供給し、リークセンサ２１によってワークＷの内部からの流体の漏れを検知することによって、ワークＷのシール性を検査する装置である。
【００１４】
ワークＷは、例えば、エンジンのシリンダブロックであり、ワークＷの開口部は、シリンダブロックの前面である。なお、説明を分かりやすくするために、以後の説明において、ワークＷの開口部は矩形形状であるものとする。
【００１５】
プレート１０は、ワークＷの開口部を閉塞する。図１（ａ）および図２（ａ）に示すように、プレート１０の例えば中央部には、プレート１０を貫通する貫通孔１８が設けられている。貫通孔１８は、図１（ａ）に示すように、リークセンサ２１と接続されている。リークセンサ２１は、供給装置２２と接続されている。供給装置２２は、例えば、エアーポンプであり、密閉されたワークＷの内部に流体を供給する。リークセンサ２１は、ワークＷの内部からの流体の漏れを検知する。なお、貫通孔１８の位置は、本実施形態に示す位置に限られるものではなく、後述する溝１１の内側であればよい。
【００１６】
図１（ａ）、図１（ｂ）および図２（ａ）に示すように、プレート１０には、溝１１が形成されている。溝１１には、シールゴム１２が嵌合している。溝１１は、プレート１０がワークＷを閉塞した際に、ワークＷの開口部の周縁部に沿う形状に形成されている。本実施形態では、溝１１は、ワークＷの開口部の形状に対応した矩形形状に形成されている。シールゴム１２は、例えば、弾性ゴムによって構成され、溝１１の形状に対応する形状に形成されている。
【００１７】
また、図１（ａ）および図１（ｂ）に示すように、プレート１０には、溝１１に連通した吸気通路１７を有する。吸気通路１７は、図１（ｂ）および図２（ｂ）に示すように、複数の吸気孔１６を介して溝１１に連通している。なお、吸気通路１７は、図２（ｃ）に示すように、複数の吸気孔１６は互いに接続され、１つの吸気孔１６を形成していてもよい。
【００１８】
吸引装置２３は、例えば、真空ポンプやエジェクタである。吸引装置２３は、リーク試験終了後、ワークＷとプレート１０とを離間させるときに、不図示の制御装置又は手動により作動され、吸気通路１７内の気体を吸引する。これにより、吸気通路１７内が負圧となるため、溝１１内のシールゴム１２がプレート１０に吸着される。シールゴム１２がプレート１０に吸着されているため、ワークＷとプレート１０とを離間させるときにシールゴム１２がワークＷに貼り付いたとしても、プレート１０から剥がれてしまうことを防止することができる。
【００１９】
以上詳細に説明したように、リーク試験装置１００は、溝１１が形成され、ワークＷの開口部を閉塞するプレート１０と、プレート１０の溝１１に嵌合し、プレート１０が開口部を閉塞したときに、開口部の周縁部に圧接するシールゴム１２と、を備え、プレート１０によって密閉されたワークＷの内部に流体を供給し、ワークＷの内部からの流体の漏れを検知するリーク試験装置であって、プレート１０には、溝１１に連通した吸気通路１７が形成され、吸気通路１７と接続され、ワークＷとプレート１０とを離間させるときに吸気通路１７内の気体を吸引する吸引装置２３を備える。これにより、ワークＷとプレート１０とを離間させるときに吸気通路１７内が負圧となり、シールゴム１２がプレート１０に吸着されるため、シールゴム１２がワークＷに貼り付いていたとしても、シールゴム１２を剥がすことなくプレート１０とワークＷとを離間させることができる。
【００２０】
また、特許文献１では、複数個所においてシールゴムを太くする（シールゴムに節を設ける）ことにより、シールゴムの剥がれを抑制している。ここで、シールゴムは消耗品のため何度も製作する必要があるので、シールゴムの形状は簡素であることが望ましい。また、シールゴムに節が設けられている場合、シールゴムの交換時に、節に圧力をかけながらプレートに形成された溝にシールゴムを装着しなければならず、作業負荷が高い。このような理由からもシールゴムの形状は簡素であることが望ましい。本実施形態に係るリーク試験装置１００によれば、シールゴム１２に節を設ける必要がないため、シールゴム１２の形状を簡素化することができる。
【００２１】
また、シールゴムに節が設けられていないためシール面積が小さくなり、クランプ荷重を低減できるので、リーク試験の設備を小型化できる。さらに、シールゴムに節が設けられていないため、節が漏れ検出すべきでない箇所をふさいでしまうという事態を防止することができる。これにより、リーク試験の信頼性を向上できる。
【００２２】
上記実施形態は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【符号の説明】
【００２３】
１０  プレート
１１  溝
１２  シールゴム
１７  吸気通路
２３  吸引装置
１００    リーク試験装置
【図１】
2019100893.tif 000003
【図２】
2019100893.tif 000004